(57)【要約】【課題】  おかず等を小分けして収容する樹脂製容器であって、容器の内外面に設けている図柄模様の印刷層が、容器の内外のいずれから見ても、透明感と深みのある図柄模様として現出して、美麗で重厚感、高級感にあふれた商品価値の高い食品収容用簡易容器を提供する。【解決手段】  容器Ａは、透明又は半透明の合成樹脂フィルム１の表裏面に、表面の図柄模様部2aと裏面の図柄模様部3aとがフィルム１を介して重なり合った状態で印刷され、且つ、このフィルム１の表裏面に透明樹脂層４、５を層着してなる積層フィルムを押圧成形して、容器Ａの内外面に上記合成樹脂フィルム１の表裏面に設けている図柄模様部2a、3aの印刷層を透明樹脂層４、５を介して現出させた構造としている。【選択図】    図２
2010095303.tif 000002
【特許請求の範囲】
【請求項１】
底部の外周縁に上方に向かって周壁部を一体に設けてなるフィルムからなる食品収容用簡易容器であって、透明又は半透明の基材フィルムの表裏面に、表面の図柄模様と裏面の図柄模様とが同一図柄模様で且つ表面の図柄模様部と裏面の図柄模様部とが同じ位置で重なり合った状態で印刷された印刷層を設け、且つ、これらの表裏印刷層を透明な樹脂被覆層によって被覆してなる積層フィルムを押圧成形して、周壁部の内外面に基材フィルムの表裏面に設けた図柄模様の印刷層を現出させていることを特徴とする食品収容用簡易容器。
【請求項２】
周壁部の内外面に設けている表裏の図柄模様部は、周壁部を周方向に複数の周壁部分に等分した場合に、全ての周壁部分が同一図柄模様部となるように設けられていることを特徴とする請求項１に記載の食品収容用簡易容器。
【請求項３】
周壁部の上端周縁部の内外面に周方向に連続する周縁図柄模様を設けていることを特徴とする請求項１又は請求項２に記載の食品収容用簡易容器。
【請求項４】
底部と周壁部との内周面にシリコン層を設けていることを特徴とする請求項１に記載の食品収容用簡易容器。
【発明の詳細な説明】
【技術分野】
【０００１】
本発明は、おかず等の食品を小分け状態で収容するために使用する合成樹脂フィルム又は薄葉紙等のフィルムからなる食品収容用簡易容器に関するものである。
【背景技術】
【０００２】
従来から、例えば、弁当箱に数種のおかずをそれぞれ別々に小分け状態で収容するための簡易容器としては、特許文献１に記載されているように、アルミ箔と片面に印刷模様を設けた透明な合成樹脂フィルムとの積層シートを円形状に打ち抜きした後に押圧成形して、内面に上記印刷模様を現出させてなる食品物小分け用アルミ箔容器や、特許文献２に記載されているように、内側の面に図柄印刷を施しているグラシン紙の外側の面に防水用の樹脂層を設けると共に該グラシン紙の内側の面に抗菌剤を含有した透明な樹脂層を設けてなる積層シートから形成された食品収容用簡易容器が広く知られている。
【０００３】
【特許文献１】実公平６−３０６５６号公報
【特許文献２】特許第３２７４８３０号公報
【発明の開示】
【発明が解決しようとする課題】
【０００４】
しかしながら、上記食品収容用簡易容器においては、いずれもアルミ箔やグラシン紙の内面側に図柄模様等の印刷層を設けている一方、外面側にはこのような印刷層が全く施されていないために、最も目立ち易い容器の周壁における外周面には、アルミやグラシン紙等の単調な基材色が現出した構造となって美麗さや豪華さ等において見劣りし、商品価値が低下するといった問題点がある。
【０００５】
さらに、この食品収容用簡易容器を展示販売した場合には、その内底面や周壁における内周面に現出している印刷層を直視することができて購買意欲を高めることができるが、使用に際してこの容器に食品を収容した場合には、その印刷層の大部分が収容した食品によって隠蔽された構造となり、上記のように周壁の外周面には何等の図柄模様の印刷層を設けていないことと相まって全体の外観が単調となり、折角、美麗な図柄模様の印刷層を設けていても、その印刷層を生かしきれないといった問題点がある。
【０００６】
また、上記アルミ箔やグラシン紙等の内外面（表裏面）に適宜な図柄模様の印刷層を設けておけば上述したような問題点を一応解消することができるが、容器の内面に設けられた図柄模様と外面に設けられた図柄模様とは、不透明なアルミ箔やグラシン紙等によって完全に遮断された構造となっているため、それぞれの図柄模様があたかも印刷されたラベルを貼着したような深みのない平坦な外観を呈して高級感をかもし出すことができないといった問題点が生じる。
【０００７】
さらにまた、片面に同じ図柄模様を印刷してなる薄紙を２枚、互いにその図柄模様をそれぞれ表裏に露出させた状態となるように背中合わせ状にして貼り合わせ、且つ、その印刷層を透明な合成樹脂層によって被覆してなる積層シートを円形状等に打ち抜いた後、押圧成形することによって内外面に図柄模様の印刷層を設けた食品収容用簡易容器を作製した場合、同一図柄模様を印刷してなる上記２枚の薄紙を、これらの図柄模様がずれることなく貼り合わせることが極めて困難であるため、容器の外面側に露出している図柄模様と内面側に露出している図柄模様とが互いにずれた状態で打ち抜きされ、例え、一方の図柄模様が、容器の底面を中心をして前後左右方向に対称的になるように正確に打ち抜きされても、他方の図柄模様が所定の位置からずれた状態となって商品価値が著しく低下する。  
【０００８】
さらに、印刷層を設けている上記薄紙が表面側から裏面側を透視可能である場合には、一方の図柄模様に他方の図柄模様が影のように漠然とした状態で現出して図柄模様が不明瞭となり、商品として販売することができなくなるといった問題点が生じる。
【０００９】
本発明はこのような問題点に鑑みてなされたもので、その目的とするところは、内外面に設けられた図柄模様が内外どちらの面から見てもあたかも３Ｄ調の透明感と深みのある図柄模様として顕現し、美麗にして重厚感、高級感にあふれた商品価値の高い食品収容用簡易容器を提供するにある。
【課題を解決するための手段】
【００１０】
上記目的を達成するために、本発明の食品収容用簡易容器は、請求項１に記載したように、底部の外周縁に上方に向かって周壁部を一体に設けてなるフィルムからなる食品収容用簡易容器であって、透明又は半透明の基材フィルムの表裏面に、表面の図柄模様と裏面の図柄模様とが同一図柄模様で且つ表面の図柄模様部と裏面の図柄模様部とが同じ位置で重なり合った状態で印刷された印刷層を設け、且つ、これらの表裏印刷層を透明な樹脂被覆層によって被覆してなる積層フィルムを押圧成形して、周壁部の内外面に上記基材フィルムの表裏面に設けた図柄模様の印刷層を現出させていることを特徴とする。
【００１１】
このように構成した食品収容用簡易容器において、請求項２に係る発明は、容器の周壁部に設けられている表裏の図柄模様部は、周壁部の内外面に設けている表裏の図柄模様部は、周壁部を周方向に複数の周壁部分に等分した場合に、全ての周壁部分が同一図柄模様部となるように設けられていることを特徴とし、請求項３に係る発明は、周壁部の上端周縁部の内外面に周方向に連続する周縁図柄模様を設けていることを特徴とする。なお、請求項４に記載したように、底部と周壁部との内周面にシリコン層を設けておくことが好ましい。
【発明の効果】
【００１２】
請求項１に係る発明によれば、食品収容用簡易容器は、透明又は半透明の薄い合成樹脂フィルム又は薄葉紙からなる基材フィルムの表裏面に、表面の図柄模様と裏面の図柄模様とが同一図柄模様で且つ表面の図柄模様部と裏面の図柄模様部とが同じ位置で重なった状態で印刷された印刷層を設け、且つ、これらの表裏印刷層を透明な樹脂被覆層によって被覆してなる積層フィルムを押圧成形してなるものであるから、この容器を外面側から見た場合、容器の内面を形成している上記透明又は半透明の基材フィルムの表面に設けた図柄模様の印刷層が、この透明又は半透明の基材フィルムを透過した状態で容器の外面を形成している該基材フィルムの裏面に設けた図柄模様の内面側に重なりあった状態で現出し、これらの内外図柄模様と透明又は半透明の基材フィルム、及び、これらの印刷層を被覆している透明な樹脂被覆層とによって、あたかも３Ｄ調の透明感と深みを有する図柄模様として現出させることができ、同様に、この容器を内側から見た場合も３Ｄ調の透明感を有する図柄模様として現出して、美麗にして重厚感、高級感にあふれた商品価値の高い食品収容用簡易容器を提供することができる。
【００１３】
さらに、この容器を形成している上記基材フィルムの表裏面に設けている図柄模様が、表面の図柄模様と裏面の図柄模様とが同一図柄模様で且つ表面の図柄模様部と裏面の図柄模様部とが同じ位置で重なった状態で印刷されているので、この基材フィルムの表裏面に透明な樹脂被覆層を設けてなる積層フィルムを容器の外周縁の輪郭と同じ形状に打ち抜いたのち押圧成形して容器を形成する際に、必然的に内外面（表裏面）の印刷模様が同一位置、同一部分で重なり合った状態で正確に打ち抜くことができて、不良品の発生を防止することができる。
【００１４】
また、請求項２に係る発明によれば、周壁部の内外面に設けられている図柄模様部は、周方向に等分してなる全ての周壁部分が同一図柄模様部となるように設けられているので、上記した効果と共に調和のとれた体裁のよい外観を呈して商品価値が一段と優れた食品収容用簡易容器を提供することができる。しかしながら、動物や植物等の図柄模様部を底部を中央にして周壁部に非対称的に設けておいてもよく、要するに、上記のように透明又は半透明の基材フィルムからなる表裏面に、表面の図柄模様と裏面の図柄模様とが同一図柄模様で且つ表面の図柄模様部と裏面の図柄模様部とが同じ位置で重なった状態で印刷しておけばよい。
【００１５】
さらにまた、請求項３に係る発明によれば、容器における周壁部の上端周縁部、即ち、容器の口縁における内外面に、周方向に連続する周縁図柄模様を設けているので、表裏面にこの周縁図柄模様を設けている上記基材フィルムを有する積層フィルムを打ち抜く際に、該周縁図柄模様を目安にしてこの周縁図柄模様の外周に沿って打ち抜くことにより、口縁における内外面に上記表裏周縁図柄模様が重なり合った状態で正確な位置に設けられた上記容器を容易に得ることができる。
【００１６】
請求項４に係る発明によれば、上記容器の底部と周壁部との内周面にシリコン層を設けているので、食品が容器の内面に付着するのをこのシリコン層によって防止することができると共に、容器からの食品の取り出しも円滑に行えてきれいに食することができる。
【発明を実施するための最良の形態】
【００１７】
本発明の具体的な実施の形態を図面について説明すると、図１は食品収容用簡易容器の簡略斜図、図２はその一部を削除した拡大縦断正面図、図３は平面図、図４は底面図であって、この容器Ａはフィルム製で、円形状の底部A1の外周縁に、上方に向かって斜め外方に傾斜した周壁部A2を一体に設けてなり、この周壁部A2は周方向に連続波形状に屈折した襞状周壁部に形成されている。
【００１８】
容器Ａを形成している上記フィルムは、図２に示すように、表裏面にそれぞれ図柄模様2a、3aの印刷層２、３を設けている透明又は半透明の合成樹脂フィルム又は表裏面が透視可能な薄葉紙からなる基材フィルム１と、この基材フィルム１の表裏全面にそれぞれ一体にラミネート（層着）して上記印刷層２、３を被覆している透明な合成樹脂フィルムからなる表裏樹脂被覆層４、５との積層フィルムからなり、上記表裏印刷層２、３の図柄模様2a、3aは同大、同形の図柄模様であると共に、容器Ａの内面側に設けている表面の図柄模様2aと容器Ａの外面側に設けている裏面の図柄模様3aとは、ずれることなく基材フィルム１を介して互いに重なり合った状態となるように印刷されている。
【００１９】
具体的には、表裏印刷層２、３の図柄模様2a、3aは、様々な形を有する複数の図柄模様部2a1 、2a2 ・・・2an ：3a1 、3a2 ・・・3an からなるものであるが、基材フィルム１の表面に設けている図柄模様2aにおける図柄模様部2a1 と、裏面に設けている図柄模様3aにおける図柄模様部3a1 とが同大、同形に形成されていて、且つ、基材フィルム１の表裏面の同一部分にそれぞれ互いに重なり合った状態で設けられあり、同様に、表裏面に設けている上記同大、同形の図柄模様部2a2 、3a2 やその他の全ての同大、同形の図柄模様部2an 、3an も基材フィルム１の表裏面の同一部分にこの基材フィルム１を介してそれぞれ互いに重なり合った状態で設けられている。
【００２０】
さらに、上記表裏図柄模様2a、3aは、図柄模様部2a1 、3a1 が容器Ａの底部A1における中心部の内外面にそれぞれ位置するように設けられ、この図柄模様部2a1 、3a1 を中央にしてその他の図柄模様部2a2 、3a2 ・・・が外側に向かって順次、容器Ａの周壁部A2における周方向と高さ方向の内外面に所定間隔毎に配置されるように設けられていると共に最も外側に設けられている図柄模様部2an 、3an が容器Ａの周壁部A2の口縁部に位置するように設けられている。また、容器Ａの内面側の樹脂被覆層４上に、印刷層２の図柄模様2aが透視可能に薄いシリコン層６を施しているが、このシリコン層６は必ずしも設ける必要はない。
【００２１】
このように構成した容器Ａを得るには、上記表裏図柄模様2a、3aを一組として複数組の表裏図柄模様2a、3aを縦横に一定間隔毎に印刷している透明又は半透明の大版サイズの基材フィルムの表裏面に透明な合成樹脂フィルムを層着し、且つ表面側の合成樹脂フィルムに該合成樹脂フィルムを通じて上記図柄模様2a、3aが透視可能となるように薄いシリコン層を設けてなる大版サイズのフィルムを複数枚、図５に示すように重ね合わせて積み重ねフィルムA'とする。なお、透明又は半透明の基材フィルムや、この基材フィルムの表裏面に層着して樹脂被覆層を形成している透明な合成樹脂フィルムとしては、ポリエチレン、ポリプロピレン、ポリエステル、ＣＰＰ、ＯＰＰ等を使用することができる。
【００２２】
この積み重ねフィルムA'を、各組の図柄模様2a、3aを印刷している部分において、その最も外側に設けている図柄模様部2an 、3an の外周に沿って順次、打ち抜くことにより、図６に示すように、容器Ａを展開した形状のフィルム片A'' を得たのち、このフィルム片A'' を図７に示すように、雌雄金型によって押圧成形することにより、上記容器Ａを複数個、積層状態で得るものである。
【００２３】
この際、積み重ねフィルムA'における容器Ａの周壁部A2の口縁部に位置する表裏図柄模様部2an 、3an を容器Ａの上端周縁部に周方向に連続する図柄模様部としておくことにより、この積み重ねフィルムA'を打ち抜く際に、該周方向に連続した表裏図柄模様部2an 、3an における表面側の図柄模様部2an の形状を目安にしてこの図柄模様部2an の外周に沿って正確に打ち抜くことができると共に、この打ち抜きにより、裏面側の図柄模様部3anを含めて上記全ての図柄模様部が3a1 、3a2 ・・・が表面側の図柄模様部2a1 、2a2 ・・・2an にそれぞれ基材フィルム１を介して正確に重なり合った位置に必然的に配設させることができる。
【００２４】
こうして得られた食品収容用簡易容器Ａは、上記フィルム片A'' の中央部によって円形の底部A1が形成されると共に外周部によって該底部A1の外周縁から上方に向かって斜め外側方に傾斜した周壁部A2が一体に形成されてあり、底部A1の中央部には、フィルム片A''における基材フィルム１の表裏面に設けている表裏印刷層２、３の図柄模様2a、3aの中央図柄模様部2a1 、3a1 がそれぞれ底部A1の内外面に樹脂被覆層４、５を介して現出させている。さらに、周壁部A2の口縁の内外面には、フィルム片A'' における基材フィルム１の外縁部の表裏面に設けている外側図柄模様部2an 、3an が樹脂被覆層４、５を介して現出させた構造を有している。
【００２５】
容器Ａの周壁部A2の内外面に設けている図柄模様部2a2 〜2an 、3a2 〜3an は、底部を中心として点対称や線対称等のように対称的に設けておいてもよいが、図において、周壁部A2を周方向に複数の周壁部分に等分した場合に、図柄模様部の配置形態が全ての周壁部分において同一形態となるように設けている。なお、容器Ａの周壁部A2の内外面に設けている上記図柄模様部2a2 〜2an 、3a2 〜3an は、必ずしも底部を中心として対称的に設けておく必要はなく、また、容器Ａの底部A1を円形に形成しているが、楕円形や長円形等の適宜な形状に形成しておいてもよい。さらに、この底部A1の内外面に設けている図柄模様部2a1 、3a1 は中心部以外に、この中心部の周囲にも設けておいてもよい。
【００２６】
このように構成したので、この食品収容用簡易容器Ａを外部から見た場合、透明又は半透明の基材フィルム１の内面側に設けている図柄模様2aが、この図柄模様2aと同大、同形の外面側に設けている図柄模様3aの内側に重なりあった状態で、透明な樹脂被覆層４を通じてあたかも３Ｄ調の透明感と深みを有する図柄模様として現出し、美麗にして高級感をかもし出すことができる。そして、使用に際してこの容器Ａ内に食品を収納しても、上記図柄模様がそのまま外部に現出させることができ、商品価値を高めることができる。また、この容器Ａを複数個、積層した状態で展示販売等を行った場合においても、上記図柄模様を外部に顕現させておくことができるので、購買意欲を高めることができる。
【００２７】
なお、底部A1は外部から見え難いので、この底部A1には必ずしも図柄模様部を設けておく必要はない。また、図柄模様部2a、3aは単一色で印刷されていてもよく、２色以上の印刷であってもよい。
【図面の簡単な説明】
【００２８】
【図１】食品収容用簡易容器の簡略斜視図。
【図２】一部を削除した拡大縦断正面図。
【図３】平面図。
【図４】底面図。
【図５】容器を形成するフィルムを打ち抜いている状態の簡略側面図。
【図６】容器を展開した状態の平面図。
【図７】押圧成形を行う状態の簡略断面図。
【符号の説明】
【００２９】
Ａ  容器
A1  底部
A2  周壁部
１  基材フィルム
２、３  印刷層
2a、3a  図柄模様
４、５  樹脂被覆層
６  シリコン層
【図１】
2010095303.tif 000003
【図２】
2010095303.tif 000004
【図３】
2010095303.tif 000005
【図４】
2010095303.tif 000006
【図５】
2010095303.tif 000007
【図６】
2010095303.tif 000008
【図７】
2010095303.tif 000009